(57)【要約】      （修正有）【課題】書籍を汚れ、損傷等から保護すると同時に、細菌の増殖を抑制することが可能なブックカバーを提供する。【解決手段】四角形の本体の第１端１にポケット部２を、対向する第２端３に粘着部４を、中央より第２端寄りに帯部５を備え、第２端を折り返すと粘着部が帯部に粘着するブックカバーであって、本体が抗菌フィルム製であり、帯部がＣＰＰフィルム製である。【選択図】図１
0003226993.tif 000002
【実用新案登録請求の範囲】
【請求項１】
四角形の本体の第１端にポケット部を、対向する第２端に粘着部を、中央より前記第２端寄りに帯部を備え、前記第２端を折り返すと前記粘着部が前記帯部に粘着するブックカバーであって、前記本体が抗菌フィルム製であり、前記帯部がＣＰＰフィルム製であるブックカバー。
【考案の詳細な説明】
【技術分野】
【０００１】
本考案は、書籍を汚れ、損傷等から保護すると同時に、細菌の増殖を抑制することが可能なブックカバーに関する。
【背景技術】
【０００２】
書店で書籍を購入すると、紙製のカバーをかけてもらえることが多い。しかし、紙製のカバーは不透明であり、装着したままでは外観でどの書籍か判断できないという不都合がある。また、書籍の表紙や背には意匠を凝らした装丁が施してあることが多く、これを見ることができなければ書籍を保有する楽しみを減じる場合がある。
【０００３】
かかる問題に対し、ＯＰＰ、すなわち二軸延伸ポリプロピレンなどの素材を用いた、透明樹脂製のブックカバーが市販されている。透明樹脂製のブックカバーは、装着したまま書籍の表紙や背を視認することができ、複数冊の書籍を並べても、判別できなくなることがない。また、装丁を見る楽しみを減じることがない。さらに、樹脂素材は水分を含む汚れに強く、水拭きも可能であるという利点がある。
【０００４】
ＯＰＰフィルムは、張りがあり、透明度が特に高い素材であるため、ブックカバーに用いられることも多い。しかし、引き裂きや衝撃に弱く、接合部が引っ張られると破れやすいという短所がある。透明樹脂製のブックカバーは、書籍の表紙を差し込むポケット部などにサイドシール加工を施すことによって製造される。したがって、書籍にブックカバーを装着する際や使用中に、このような部分に負荷がかかると破れやすい。そのため、閲覧用の書籍を多数備えるカフェなど、ブックカバーを業務において使用する場合には特に、強度が改良されたブックカバーが必要とされている。
【０００５】
また、近年では衛生意識の高まりにより、抗菌加工が施された製品への需要が増加している。書籍の閲覧や貸し出しのサービスを提供する施設では、不特定多数の利用者が書籍を素手で扱う場合も多い。そのため、他人が触れたままの書籍を触ることに、抵抗を感じる利用者もいる。
【０００６】
施設によっては、利用した書籍を、紫外線などによって殺菌消毒する設備を備えている場合もある。しかし、このような設備を導入するには多額の費用が必要となり、経営に対する負担となりうる。また、書籍を利用した後、書棚に戻す前に殺菌消毒という作業が増えることになる。したがって、書籍を清潔な状態に保つための、より簡便な方法が求められている。
【０００７】
特許文献１には、シート状の基材の表面に、銅金属および／または銅合金からなる金属層を設けたブックカバーが開示されている。この考案の実施形態においては、シートの両端を書籍に合わせて折り返すことによって、書籍に装着する構成となっている。したがって、ブックカバーを書籍の縦方向に保持するための力が、書籍とブックカバーとの間の摩擦力などに限られるため、縦方向にずれやすい。また、シートの弾性によって折り返した部分が開き、書籍から外れることを防止するための構造を備えていない。すなわち、特許文献１に記載された考案には、ブックカバーを容易に書籍に装着するための構造、および装着状態を保持するための構造は含まれていない。そのため、より実用的で使用感が良いブックカバーという観点において、改善の余地がある。
【先行技術文献】
【特許文献】
【０００８】
【特許文献１】実用新案登録第３１６６１１７号公報
【考案の概要】
【考案が解決しようとする課題】
【０００９】
本考案は、書籍を汚れ、損傷等から保護すると同時に、細菌の増殖を抑制することが可能なブックカバーを提供することを目的とする。
【課題を解決するための手段】
【００１０】
上記課題を解決するため、本考案は、四角形の本体の第１端にポケット部を、対向する第２端に粘着部を、中央より前記第２端寄りに帯部を備え、前記第２端を折り返すと前記粘着部が前記帯部に粘着するブックカバーであって、前記本体が抗菌フィルム製であり、前記帯部がＣＰＰフィルム製であるブックカバーを提供する。
【考案の効果】
【００１１】
本考案によるブックカバーは、書籍の表紙や背に書かれた書名、著者などの情報や、イラストなどの装飾を覆い隠すことなく、書籍を汚損などによる劣化から保護すると同時に、細菌の増殖を抑制することができる。また、装着する書籍の高さに合わせたブックカバーを選択し、書籍をブックカバーに挿入し、第２端を折り返して粘着部に粘着させることにより、容易に装着することができる。
【図面の簡単な説明】
【００１２】
【図１】本考案のブックカバーを書籍に装着する過程を示す図である。
【考案を実施するための形態】
【００１３】
本考案によるブックカバーは、本体の第１端にポケット部を、対向する第２端に粘着部を、中央より第２端寄りに帯部を備える。書籍をブックカバーに挿入した状態で第２端を折り返すことにより、粘着部と帯部とが重なり、書籍にブックカバーを装着した状態で固定することができる。
【００１４】
ブックカバーは、装着する書籍に合わせた寸法でなければ、使用感が低下する。縦方向の長さが書籍の高さに対して不足していると、表紙を挿入することができず、ブックカバーを装着することができない。また、横方向の長さが書籍の表紙両面の幅と厚さとの和に対して不足していると、書籍を完全に閉じることができず、書籍が損傷する原因となる。一方、書籍に対してブックカバーが大きすぎると、外観が悪く、また読書中にブックカバーがずれる原因となる。
【００１５】
書籍の高さは複数の種類があるが、レーベルが同じであれば高さは統一されていることが多い。しかし、書籍の厚さは個々の書籍によって様々であり、同一のレーベルであっても一般に統一されていない。そのため、横方向の長さが画一的であると、個々の書籍に対するフィット性が低下する。本考案の構成であれば、第２端の折り返す位置を変えることでブックカバーの横の長さを調整し、書籍の寸法に合わせることができる。
【００１６】
粘着部は、ブックカバー本体の弾性に抗して、装着した状態を維持できる粘着力を提供可能であれば、任意の幅を有してよい。ただし書籍の寸法に応じて第２端の折り返す位置を変化させても、粘着部の全体が帯部に重なることが求められる。したがって、帯部は粘着部より十分広い幅を有する。
【００１７】
本考案によるブックカバーの本体は、抗菌性を有するフィルムを素材に用いて製造される。本考案において、「抗菌性」という用語は、抗菌加工を施さない場合と比較して、表面における細菌の増殖割合が１００分の１以下であることを指す。詳細な検査方法については、ＪＩＳ  Ｚ２８０１：２０１０「抗菌加工製品−抗菌性試験方法・抗菌効果」を参照されたい。
【００１８】
抗菌性を有するフィルムとしては、例えば、銀や銅などの抗菌性に優れる物質を添加したフィルムを用いることができる。また、抗菌性を有するフィルムを他のフィルムに積層し、抗菌性を有するフィルムが外側に配置されるようにしてもよい。本体に用いるフィルムの例としては、ＣＰＰ、ＯＰＰが挙げられる。ＣＰＰとは、Ｃａｓｔ  Ｐｏｌｙｐｒｏｐｙｌｅｎｅの略で、無延伸ポリプロピレンを指す。ＯＰＰとは、Ｏｒｉｅｎｔｅｄ  Ｐｏｌｙｐｒｏｐｙｌｅｎｅの略で、二軸延伸ポリプロピレンを指す。
【００１９】
本考案におけるフィルムは、素材中にさらなる添加剤を含有してもよい。例えば、抗菌剤に加えて、紫外線吸収剤、顔料、強化剤、エラストマー、帯電防止剤、防曇剤、滑剤などを含んでもよい。
【００２０】
本考案によるブックカバーの帯部は、ＣＰＰフィルムを素材に用いて製造される。ＣＰＰは透明度が比較的高く、切れ目や接合部における引き裂きに強いという特長がある。ブックカバーの帯部は、書籍へ装着する作業の際に、大きな負荷がかかりやすい箇所でもある。この箇所に、引き裂きに強いＣＰＰフィルムを用いることにより、フィルムの破れを懸念することなく、快適に装着作業を行うことができる。
【００２１】
なお、本考案においてＣＰＰフィルムとは、組成にＣＰＰを含むフィルムを意味する。したがって、本質的にＣＰＰのみから構成されるフィルムであってもよく、またはＣＰＰフィルムと他の素材から製造されたフィルムとの積層フィルムであってもよい。
【００２２】
本考案のブックカバーにおいて、粘着部の上に剥離フィルムを設けてもよい。これにより、書籍に装着する前の取扱いの利便性が向上する。装着時には剥離フィルムを剥がすだけでよいため、容易に装着作業を行うことができる。
【００２３】
本考案のブックカバーにおいて、本体、帯部、および剥離フィルムは、帯電防止加工を施したフィルムを使用してもよい。これにより、書籍への装着時に手にまとわりつかず、効率的に作業を行うことができる。また、装着時や保管時に、ほこりなどの微物の付着を防止することができる。
【００２４】
本考案のブックカバーを装着するには、まず、図１（Ａ）のようにブックカバーを広げ、書籍の表紙第２端を帯部の下に通し、図１（Ｂ）のように帯と書籍ののどが近接するようにスライドさせる。次に、図１（Ｃ）のように、書籍の表紙第１端を、ブックカバーの第１端のポケット部に挿入する。そのまま、図１（Ｄ）のように、書籍の表紙第１端がポケット部の奥に達するようにスライドさせる。書籍の位置をずらさずに、図１（Ｅ）のように、ブックカバーの第２端を書籍の表紙第２端に沿って折り返す。最後に、図１（Ｆ）のように、粘着部を帯部上で押圧し、粘着させる。
【００２５】
なお、本考案は上記の実施形態に限定されるものではなく、本考案の趣旨に基づいて種々変形させることが可能であり、それらを本考案の範囲から排除するものではない。
【符号の説明】
【００２６】
１  第１端
２  ポケット部
３  第２端
４  粘着部
５  帯部
６  書籍
７  書籍の表紙第１端
８  書籍の表紙第２端
【図１】
0003226993.tif 000003